(57)【要約】【課題】画像形成後に綴じられた記録媒体を使用者が１枚づつめくって画像を読む際に１頁おきに画像が逆さまに表れる逆転現象を防止できると共に、画像形成に用いる画像データを記憶するメモリの記憶領域を節約し、且つ、画像形成に要する時間を短縮できる両面画像形成装置及び両面画像形成方法を提供する。【解決手段】両面記録コピー時に、記録用紙の搬送方向に沿った辺で綴じるロングバインドが設定されている場合（ロングバインドコピー時）には、スキャナ部を介して読み取った原稿の画像の内、奇数頁目の画像データは圧縮データ、偶数頁目の画像は非圧縮データとしてメモリに格納し、画像形成時には、プリントデータを１頁単位でメモリから読み出し、非圧縮データについては、前後の順番を反転させてプリンタ部に転送することにより、プリンタ部に、その頁の後ろ側から記録用紙に画像を形成させ、圧縮データについては、伸張してＲＡＭからの読み出し順にプリンタ部に転送する。【選択図】  図７
2004209924.tif 000002
【特許請求の範囲】
【請求項１】
画像データを記憶する記憶手段と、
該記憶手段に記憶された画像データに基づき、所定の一方向に搬送される記録媒体に画像を形成する画像形成手段と、
該画像形成手段に対して前記記録媒体を前記一方向に搬送させることにより、該記録媒体の表面に画像を形成させると共に、該画像形成後の記録媒体の表裏面を反転し、先の画像形成時に搬送下流側となった該記録媒体の端部を搬送上流側として、該記録媒体を前記画像形成手段に対して前記一方向に搬送させることにより、前記記録媒体の裏面に画像を形成させる搬送手段と、
を備えた両面画像形成装置であって、
画像データを圧縮する画像データ圧縮手段と、
前記画像データのうち、データ配列が前記記録媒体の搬送方向に対して順方向となる頁の画像データについては、前記画像データ圧縮手段によりその画像データを圧縮し、その圧縮データを前記記憶手段に格納し、データ配列が前記記録媒体の搬送方向に対して逆方向となる頁の画像データについては、非圧縮のデータを前記記憶手段に格納する画像データ格納手段と、
を備えることを特徴とする両面画像形成装置。
【請求項２】
画像形成後の記録媒体を前記搬送方向に沿った辺で綴じることができるように画像を形成する第１モードと、画像形成後の記録媒体を前記搬送方向とは直交する方向に沿った辺で綴じることができるように画像を形成する第２モードと、を選択するためのモード選択手段を備え、
前記画像データ格納手段は、前記モード選択手段にて第１モードが選択された場合に、データ配列が前記記録媒体の搬送方向に対して順方向となる頁の画像データを圧縮データとして前記記憶手段に格納し、データ配列が前記記録媒体の搬送方向に対して逆方向となる頁の画像データを非圧縮データとして前記記憶手段に格納することを特徴とする請求項１に記載の両面画像形成装置。
【請求項３】
前記画像データ格納手段は、前記モード選択手段にて第２モードが選択された場合に、前記記録媒体の表裏面に形成する全ての頁の画像データを圧縮データとして前記記憶手段に格納することを特徴とする請求項２に記載の両面画像形成装置。
【請求項４】
原稿から画像を読み取り、該読取画像を表す画像データを出力する原稿読取手段を備え、
前記画像データ格納手段は、前記原稿読取手段から出力される画像データを取り込み、該画像データを、前記原稿読取手段が読み取った原稿の頁毎に圧縮データ又は非圧縮データとして前記記憶手段に格納することを特徴とする請求項１〜３の何れか記載の両面画像形成装置。
【請求項５】
画像データを記憶する記憶手段と、該記憶手段に記憶された画像データに基づき、所定の一方向に搬送される記録媒体に画像を形成する画像形成手段と、該画像形成手段に対して前記記録媒体を前記一方向に搬送させることにより、該記録媒体の表面に画像を形成させると共に、該画像形成後の記録媒体の表裏面を反転し、先の画像形成時に搬送下流側となった該記録媒体の端部を搬送上流側として、該記録媒体を前記画像形成手段に対して前記一方向に搬送させることにより、前記記録媒体の裏面に画像を形成させる搬送手段と、
を用いた両面画像形成方法であって、
画像データを圧縮する画像データ圧縮手段を用い、前記画像データのうち、データ配列が前記記録媒体の搬送方向に対して順方向となる頁の画像データについては、前記画像データ圧縮手段によりその画像データを圧縮し、その圧縮データを前記記憶手段に格納し、データ配列が前記記録媒体の搬送方向に対して逆方向となる頁の画像データについては、非圧縮のデータを前記記憶手段に格納することを特徴とする両面画像形成方法。
【請求項６】
画像形成後の記録媒体を前記搬送方向に沿った辺で綴じることができるように画像を形成する第１モードと、画像形成後の記録媒体を前記搬送方向とは直交する方向に沿った辺で綴じることができるように画像を形成する第２モードと、を選択するためのモード選択手段を用い、
前記モード選択手段にて第１モードが選択された場合に、前記画像データ格納手段を用い、データ配列が前記記録媒体の搬送方向に対して順方向となる頁の画像データを圧縮データとして前記記憶手段に格納し、データ配列が前記記録媒体の搬送方向に対して逆方向となる頁の画像データを非圧縮データとして前記記憶手段に格納することを特徴とする請求項５に記載の両面画像形成方法。
【請求項７】
前記モード選択手段にて第２モードが選択された場合に、前記画像データ格納手段を用い、前記記録媒体の表裏面に形成する全ての頁の画像データを圧縮データとして前記記憶手段に格納することを特徴とする請求項６に記載の両面画像形成方法。
【請求項８】
原稿読取手段を用い、原稿から画像を読み取り、該読取画像を表す画像データを出力し、
前記画像データ格納手段を用い、前記原稿読取手段から出力される画像データを取り込み、該画像データを、前記原稿読取手段が読み取った原稿の頁毎に圧縮データ又は非圧縮データとして前記記憶手段に格納することを特徴とする請求項５〜７の何れか記載の両面画像形成方法。
【発明の詳細な説明】
【０００１】
【発明の属する技術分野】
本発明は、画像データに基づいて記録媒体の両面に画像を形成する両面画像形成装置及び両面画像形成方法に関する。
【０００２】
【従来の技術】
従来、画像データを記憶する記憶手段と、記憶手段に記憶された画像データに基づき、所定の一方向に搬送される記録媒体（用紙、フィルム等）に画像を形成する画像形成手段と、画像形成手段に対して記録媒体を一方向に搬送する搬送手段とを備え、記録媒体の両面に画像を形成するために、記録媒体の表面に画像を形成した後に記録媒体の表裏面を反転し、先の画像形成時に搬送下流側となった記録媒体の端部を搬送上流側として、記録媒体を画像形成手段に対して一方向に搬送させることにより、前記記録媒体の裏面に画像を形成させ、順次排紙トレイに積載する両面画像形成装置が知られている。
【０００３】
このような両面画像形成装置においては、より多くの画像を連続的に記録媒体に形成でき、しかも、排紙トレイに排出された記録媒体を、排紙トレイに排出された積層状態のまま綴じることができるようになっていることが好ましい。
例えば、画像形成後の複数の記録媒体を綴じる際には、記録媒体の搬送方向に沿った辺で綴じる場合と、搬送方向とは直交する方向に沿った辺で綴じる場合があるが、いずれの方向で綴じられた場合にも、使用者がこの記録媒体を読む際には、１頁づつめくることによって、画像が逆さまになることがなく一定の向きで表れることが望ましい。
【０００４】
ところが、上述した両面画像形成装置においては、記録媒体の裏面に画像を形成する際に、記録媒体の搬送方向の向きが逆になる（表面の画像形成時に搬送下流側となった記録媒体の端部が搬送上流側として搬送される）ことから、排紙トレイに積層された記録媒体を、その積層状態のまま記録媒体の搬送方向に沿った辺で綴じると、使用者がこの記録媒体を１枚づつめくって画像を読む際に１頁おきに画像が逆さまに表れる、所謂逆転現象が生じてしまう。
【０００５】
そこで、こうした逆転現象を防止するために、記録媒体に画像を形成する前に、記憶手段としてのメモリに記憶した画像データを１頁おきに反転させることで、反転させた画像データと反転しない画像データとを交互に用いて記録媒体への画像形成を行うように構成された装置が知られている（例えば、特許文献１参照）。
【０００６】
また、記録媒体への画像形成を連続的に行うことのできる原稿枚数は、画像データを記憶するメモリの容量によって制限されることから、メモリには画像データを圧縮した圧縮データを格納し、画像形成時には、メモリから読み出した圧縮データを伸張するようにすることで、原稿１頁当たりのメモリの消費量を抑制し、連続して画像形成可能な原稿枚数を増加するようにした装置も知られている（例えば、特許文献２参照）。
【０００７】
【特許文献１】
特開平１０−１６６５４４号公報（第７−８頁、第４−１０図）
【特許文献２】
特開２００１−２２３８８４号公報（第２９頁、第４１図）
【０００８】
【発明が解決しようとする課題】
しかしながら、特許文献１に開示された装置によれば、画像データをメモリに記憶するメモリ容量を削減するための圧縮手段を備えていないので、メモリ容量によって画像を形成する際の原稿枚数が制限されるという問題があった。
【０００９】
また、特許文献２に開示された装置によれば、記録媒体に画像を形成する際には、上述した逆転現象を防止するために、１頁おきに圧縮データを伸張してから反転させなければならず、そのデータ処理のために、画像形成に要する時間が長くなるという問題があった。
【００１０】
そこで、本発明は、画像形成後に綴じられた記録媒体を使用者が１枚づつめくって画像を読む際に、１頁おきに画像が逆さまに表れる逆転現象を防止できると共に、画像形成に用いる画像データを記憶する記憶手段（メモリ）の記憶領域を節約して、連続して画像形成可能な原稿枚数を増加でき、しかも、画像形成に要する時間を短縮できる両面画像形成装置及び両面画像形成方法を提供することを目的とする。
【００１１】
【課題を解決するための手段及び発明の効果】
かかる目的を達成するためになされた請求項１に記載の発明は、画像データを記憶する記憶手段と、記憶手段に記憶された画像データに基づき、所定の一方向に搬送される記録媒体に画像を形成する画像形成手段と、画像形成手段に対して記録媒体を一方向に搬送させることにより、記録媒体の表面に画像を形成させると共に、画像形成後の記録媒体の表裏面を反転し、先の画像形成時に搬送下流側となった記録媒体の端部を搬送上流側として、記録媒体を画像形成手段に対して一方向に搬送させることにより、記録媒体の裏面に画像を形成させる搬送手段と、を備えた両面画像形成装置であって、画像データを圧縮する画像データ圧縮手段と、画像データのうち、データ配列が前記記録媒体の搬送方向に対して順方向となる頁の画像データについては、画像データ圧縮手段によりその画像データを圧縮し、その圧縮データを前記記憶手段に格納し、データ配列が記録媒体の搬送方向に対して逆方向となる頁の画像データについては、非圧縮のデータを記憶手段に格納する画像データ格納手段とを備えることを特徴とする。
【００１２】
請求項１に記載の両面画像形成装置によれば、記録媒体に画像を形成するための画像データの内、データ配列が画像形成時の記録媒体の搬送方向に対して順方向となる頁の画像データについては、圧縮データとして記憶手段に格納し、データ配列が画像形成時の記録媒体の搬送方向に対して逆方向となる頁の画像データについては、非圧縮データとして記憶手段に格納するので、画像データの圧縮によって記憶手段の記憶領域を節約しつつ、データ配列が記録媒体の搬送方向と逆方向となる画像データを圧縮した場合に生じる問題を防止できる。
【００１３】
つまり、データ配列が記録媒体の搬送方向と逆方向となる画像データを圧縮すると、記録媒体に画像を形成する際には、圧縮データを伸張して反転させる必要があるが、本発明では、この画像データについては、非圧縮データとして記憶手段に格納するようにしているので、画像形成に要する時間を短縮できる。
【００１４】
次に、請求項２に記載の発明は、請求項１に記載の両面画像形成装置において、画像形成後の記録媒体を搬送方向に沿った辺で綴じることができるように画像を形成する第１モードと、画像形成後の記録媒体を前記搬送方向とは直交する方向に沿った辺で綴じることができるように画像を形成する第２モードと、を選択するためのモード選択手段を備え、画像データ格納手段は、モード選択手段にて第１モードが選択された場合に、データ配列が前記記録媒体の搬送方向に対して順方向となる頁の画像データを圧縮データとして記憶手段に格納し、データ配列が記録媒体の搬送方向に対して逆方向となる頁の画像データを非圧縮データとして記憶手段に格納することを特徴とする。
【００１５】
請求項２に記載の両面画像形成装置においては、画像形成後の記録媒体を搬送方向に沿った辺で綴じるように画像を形成する第１モードのときに、記録媒体の表裏面の何れか一方に画像を形成するための画像データのデータ配列が、画像形成時の記録媒体の搬送方向と逆方向になることから、この第１モードのときに、画像データ記憶手段を請求項１と同様に動作させる。従って、この装置によれば、請求項１に記載の装置と同様の効果を得ることができる。
【００１６】
次に、請求項３に記載の発明は、請求項２に記載の両面画像形成装置において、画像データ格納手段は、モード選択手段にて第２モードが選択された場合に、記録媒体の表裏面に形成する全ての頁の画像データを圧縮データとして記憶手段に格納することを特徴とする。
【００１７】
請求項３に記載の両面画像形成装置によれば、第２モードのときは、画像データのデータ配列が全ての頁で画像形成時の記録媒体の搬送方向と順方向となるので、表裏面全ての画像データを圧縮する。このため、記録媒体に画像を形成する際には、圧縮データを反転させて復元させる必要がないので、復元のための時間が余分にかかったりすることなく、原稿の画像データを記憶するためのメモリを一層節約できる。
【００１８】
次に、請求項４に記載の発明は、請求項１〜３の何れか記載の両面画像形成装置において、原稿から画像を読み取り、読取画像を表す画像データを出力する原稿読取手段を備え、画像データ格納手段は、原稿読取手段から出力される画像データを取り込み、その画像データを、原稿読取手段が読み取った原稿の頁毎に圧縮データ又は非圧縮データとして記憶手段に格納することを特徴とする。
【００１９】
請求項４に記載の両面画像形成装置によれば、原稿を読み取る原稿読取手段を備え、原稿の頁毎に非圧縮と圧縮を選択し画像データを記憶するので、原稿の画像データを記憶する記憶手段の記憶領域を節約できる。
次に、請求項５に記載の発明は、画像データを記憶する記憶手段と、記憶手段に記憶された画像データに基づき、所定の一方向に搬送される記録媒体に画像を形成する画像形成手段と、画像形成手段に対して記録媒体を一方向に搬送させることにより、記録媒体の表面に画像を形成させると共に、画像形成後の記録媒体の表裏面を反転し、先の画像形成時に搬送下流側となった該記録媒体の端部を搬送上流側として、記録媒体を画像形成手段に対して一方向に搬送させることにより、記録媒体の裏面に画像を形成させる搬送手段とを用いた両面画像形成方法であって、画像データを圧縮する画像データ圧縮手段を用い、画像データのうち、データ配列が記録媒体の搬送方向に対して順方向となる頁の画像データについては、画像データ圧縮手段によりその画像データを圧縮し、その圧縮データを記憶手段に格納し、データ配列が記録媒体の搬送方向に対して逆方向となる頁の画像データについては、非圧縮のデータを記憶手段に格納することを特徴とする。
【００２０】
請求項５に記載の両面画像形成方法によれば、記録媒体に画像を形成するための画像データの内、データ配列が画像形成時の記録媒体の搬送方向に対して順方向となる頁の画像データについては、圧縮データとして記憶手段に格納し、データ配列が画像形成時の記録媒体の搬送方向に対して逆方向となる頁の画像データについては、非圧縮データとして記憶手段に格納することから、請求項１に記載の両面画像形成装置と同様の効果を得ることができる。
【００２１】
次に、請求項６に記載の発明は、請求項５に記載の両面画像形成方法において、画像形成後の記録媒体を搬送方向に沿った辺で綴じることができるように画像を形成する第１モードと、画像形成後の記録媒体を搬送方向とは直交する方向に沿った辺で綴じることができるように画像を形成する第２モードとを選択するためのモード選択手段を用いて第１モードが選択された場合には、画像データ格納手段を用いて、データ配列が記録媒体の搬送方向に対して順方向となる頁の画像データを圧縮データとして記憶手段に格納し、データ配列が記録媒体の搬送方向に対して逆方向となる頁の画像データを非圧縮データとして記憶手段に格納することを特徴とする。
【００２２】
請求項６に記載の両面画像形成方法においては、画像形成後の記録媒体を搬送方向に沿った辺で綴じるように画像を形成する第１モードのときに、記録媒体の表裏面の何れか一方に画像を形成するための画像データのデータ配列が、画像形成時の記録媒体の搬送方向と逆方向になることから、この第１モードのときに、画像データ記憶手段を請求項５と同様に動作させる。従って、この請求項６に記載の発明方法によれば、請求項２に記載の両面画像形成装置と同様の効果を得ることができる。
【００２３】
次に、請求項７に記載の発明は、請求項６に記載の両面画像形成方法において、モード選択手段にて第２モードが選択された場合に、画像データ格納手段を用いて、記録媒体の表裏面に形成する全ての頁の画像データを圧縮データとして記憶手段に格納することを特徴とする。
【００２４】
請求項７に記載の両面画像形成方法によれば、第２モードのときは、画像データのデータ配列が全ての頁で画像形成時の記録媒体の搬送方向と順方向となるので、表裏面全ての画像データを圧縮する。このため、この請求項７に記載の発明方法によれば、請求項３に記載の両面画像形成装置と同様の効果を得ることができる。
【００２５】
次に、請求項８に記載の発明は、請求項５〜７の何れか記載の両面画像形成方法において、原稿読取手段を用い、原稿から画像を読み取り、その読取画像を表す画像データを出力し、画像データ格納手段を用い、原稿読取手段から出力される画像データを取り込み、その画像データを、原稿読取手段が読み取った原稿の頁毎に圧縮データ又は非圧縮データとして記憶手段に格納することを特徴とする。
【００２６】
請求項８に記載の両面画像形成方法によれば、原稿を読み取る原稿読取手段を用い、原稿の頁毎に非圧縮と圧縮を選択し画像データを記憶するので、請求項４に記載の両面画像形成装置と同様の効果を得ることができる。
【００２７】
【発明の実施の形態】
以下に本発明の実施形態を図面と共に説明する。
図１は本発明が適用された実施例の多機能装置１の外観を表す斜視図である。
図１に示すように、本実施例の多機能装置１は、大きく分けて、多機能装置１の下部に位置するプリンタ部２と、多機能装置１の上部に位置するスキャナ部３とから構成されており、これら各部２，３の動作によって、プリンタ機能、スキャナ機能、及び、コピー機能を実現できるようにされている。尚、図１において、プリンタ部２は、略直方体形状で示されているが、実際には、後述する排紙トレイ３８を着脱可能な排紙口や給紙カセット３２も備えている。そして、スキャナ部３は、本発明の原稿読取手段に相当する。
【００２８】
また、多機能装置１の正面側の上部には、当該装置１の動作状態等を表示するためのＬＣＤ表示部１１ａと各種指令を入力するための複数の操作ボタン１１ｂとを備えた操作パネル１１が設けられている。
また、多機能装置１の上部には、多機能装置１の後方に配置されたヒンジ部１０（図２参照。図１では図示省略。）を支点にして、上方へ回動する原稿台カバー１５が備えられている。
【００２９】
ここでまず、スキャナ部３について、図１及び図２を用いて説明する。尚、図２は、多機能装置１の原稿台カバー１５を開いた状態を示す斜視図である。
図２に示すように、スキャナ部３はフラットベッド型のものであり、ライン型ＣＣＤユニット２４によって、原稿台２２に設けられたプラテンガラス２３上に載置された原稿から画像を読み取るように構成されている。
【００３０】
また、このＣＣＤユニット２４は、一端側がガイド軸２５に貫通され、多端側がガイドレール（図示省略）に乗せられることにより支持されている。そして、ＣＣＤユニット２４は、駆動モータ（図示省略）によって駆動されるベルト２６に連動してプラテンガラス２３に沿って移動する。
【００３１】
更に、原稿台カバー１５上部左端側には、複数枚の原稿から画像を順に読み取るためのＡＤＦ（Ａｕｔｏ  Ｄｏｃｕｍｅｎｔ  Ｆｅｅｄｅｒ）機構１６（図１参照）が設けられている。ＡＤＦ機構１６は、原稿台カバー１５が閉じられ、且つ、ＣＣＤユニット２４が読取初期位置に固定した状態で、原稿供給トレー１８（図１参照）から１枚ずつ原稿を取り込んで、ＣＣＤユニット２４の上方に位置する原稿通過部２８を通過させることによって、ＣＣＤユニット２４に原稿の画像を１ラインずつ読み取らせ、画像読取後の原稿を原稿排出トレー１７（図１参照）に排出するものである。
【００３２】
従って、本実施例のスキャナ部３によれば、ＡＤＦ機構１６を介して、原稿供給トレー１８に載置された複数枚の原稿から１頁ずつ連続的に画像を読み取ることができるし、使用者がプラテンガラス２３上に載置した原稿の画像を１頁単位で読み取ることもできる。
【００３３】
次に、プリンタ部２について、図３を用いて説明する。尚、図３は、多機能装置１のプリンタ部２の概略構成を表す断面図である。
図３に示すように、プリンタ部２は、本発明の画像形成手段としてのプリンタエンジン３０と、記録媒体としての多数の記録用紙３４を積層した状態で収納しておくための給紙カセット３２と、給紙カセット３２に収納された記録用紙３４を給紙カセット３２に設けられた分離パッド３２ａを介して一枚ずつプリンタエンジン３０側に供給する給紙ローラ３６と、給紙ローラ３６を介して給紙された記録用紙をプリンタエンジン３０に向けて搬送すると共に、画像形成後の記録用紙３４を当該多機能装置１に外付けされた排紙トレイ３８に向けて排出するための複数の搬送ローラ４０及び用紙ガイド４２とを備えている。
【００３４】
尚、これら搬送ローラ４０及び用紙ガイド４２は、本発明の搬送手段に相当するものであり、図３においては、以下の説明の都合上、必要に応じて符号４０、４２にアルファベットからなる添え字が付与されている。また、搬送ローラ４０の殆どは、駆動モータ（図示省略）から動力を受けて回転する大径の駆動ローラと、駆動ローラとの間で記録用紙３４を挟んで摩擦により回転する小径の従動ローラとから構成されている。
【００３５】
また、給紙カセット３２は、多機能装置１の左側面下端位置にて、外部から多機能装置１内に挿入することにより装着されており、排紙トレイ３８も、多機能装置１の左側面に着脱自在に装着されている。
一方、プリンタエンジン３０は、感光ドラム４４を内蔵したトナーカートリッジ４６と、感光ドラム４４にレーザビームを照射することにより感光ドラム４４に静電潜像を形成するレーザ発光器４８と、レーザ発光器４８により形成された静電潜像に沿ってトナーが付着した感光ドラム４４に対して記録用紙３４を圧接することにより記録用紙３４にトナー画像を形成する転写ローラ５０と、トナー画像が形成された記録用紙３４を加熱ローラ５２と押圧ローラ５４とで圧接して記録用紙３４に画像を定着させる定着器５６とから構成されている。
【００３６】
つまり、本実施例のプリンタエンジン３０は、周知のレーザプリンタ用のものであり、記録用紙３４には、レーザ発光器４８に入力された画像データに応じた画像が形成される。
また、本実施例のプリンタ部２は、上述した複数の搬送ローラ４０及び用紙ガイド４２によって、記録用紙３４の片面だけでなく、両面にも画像を形成できるようにされている。
【００３７】
即ち、まず、給紙ローラ３６を介して給紙カセット３２から供給された記録用紙３４は、プリンタエンジン３０への給紙系の搬送ローラ４０ａ及び用紙ガイド４２ａを介して、感光ドラム４４と転写ローラ５０とからなる画像形成部まで搬送され、この画像形成部にて記録用紙３４の片面（表面）にトナー画像が形成される。
【００３８】
尚、本実施例においては、表面にトナー画像を形成する際、ＣＣＤユニット２４で原稿を読み取った画像データの先頭データからレーザ発光器４８に入力されるように構成されている。
そして、トナー画像が形成された記録用紙３４は、用紙ガイド４２ｂ及び記録用紙３４の裏面に接する駆動ローラのみからなる搬送ローラ４０ｂを介して、定着器５６まで搬送され、この定着器５６にて画像が定着された後、搬送ローラ４０ｃを介して定着器５６から排出される。
【００３９】
また、この搬送ローラ４０ｃの下流側には、記録用紙３４の経路を、記録用紙３４を排紙トレイ３８側に導く排紙系の用紙ガイド４２ｄ側にするか、或いは、記録用紙３４を反転させて再度給紙する再給紙系の用紙ガイド４２ｅ側にするかを切り換えるガイド部材５８が設けられている。尚、ガイド部材５８は、電磁ソレノイド等によって揺動することにより記録用紙３４の経路を切り換える周知のものである。
【００４０】
そして、このガイド部材５８は、記録用紙３４の片面のみに画像を形成する場合や、記録用紙３４の両面に画像を形成する場合であって記録用紙３４の表裏面に既に画像が形成された際には、図３に実線で示す用紙排出位置に切り換えられて、定着器５６から搬送ローラ４０ｃを介して排出された記録用紙３４を、排紙系の用紙ガイド４２ｄ側に導く。
【００４１】
そして、ガイド部材５８を介して排紙系の用紙ガイド４２ｄ側に導かれた記録用紙３４は、用紙ガイド４２ｄから更に下流に設けられた排紙系の搬送ローラ４０ｄ及び用紙ガイド４２ｄを介して排紙トレイ３８まで搬送される。
また、逆に、記録用紙３４の両面に画像を形成する場合であって記録用紙３４の片面（表面）のみに画像が形成された際には、ガイド部材５８は、図３に点線で示す用紙再給紙位置に切り換えられて、定着器５６から搬送ローラ４０ｃを介して排出された記録用紙３４を、再給紙系の用紙ガイド４２ｅ側に導く。
【００４２】
そして、ガイド部材５８を介して再給紙系の用紙ガイド４２ｅに導かれた記録用紙３４は、搬送ローラ４０ｆを介して、排紙系の用紙ガイド４２ｄよりも後方に所定角度で立設された用紙ガイド４２ｆまで一旦搬送されるが、搬送ローラ４０ｆは、他の搬送ローラ４０とは異なり、駆動ローラが正転・逆転可能になっており、記録用紙３４を全て用紙ガイド４２ｆまで搬送した後は、搬送ローラ４０ｆが逆転する。
【００４３】
この搬送ローラ４０ｆの逆転により、記録用紙３４は、再び用紙ガイド４２ｅ側に戻されるが、図３に示すように、用紙ガイド４２ｅと搬送ローラ４０ｆとは水平方向に離れており、また、用紙ガイド４２ｅの板面は略水平になっているのに対し、用紙ガイド４２ｆの板面は大きく傾斜しているので、搬送ローラ４０ｆの逆転によって用紙ガイド４２ｆから戻される記録用紙３４は、用紙ガイド４２ｅに導かれることはなく、用紙ガイド４２ｅと搬送ローラ４０ｆとの隙間から搬送ローラ４０ｆよりも下方に配置された再給紙系の用紙ガイド４２ｇ側に導かれる。
【００４４】
また、この用紙ガイド４２ｇに導かれた記録用紙３４は、更に下流側に配置された搬送ローラ４０ｇ及び用紙ガイド４２ｇを介して、給紙ローラ３６直後の搬送ローラ４０ａまで搬送される。そして、この搬送時には、記録用紙３４は、先に給紙カセット３２から供給されてプリンタエンジン３０にて片面（表面）に画像が形成されたときとは表裏が反転し、しかも、表面への画像形成時に搬送の上流側となった用紙の先端が下流となっていることから、その後、プリンタエンジン３０まで搬送された際には、先に画像が形成された面とは反対側の面（裏面）に画像が形成されることになる。
【００４５】
そして、このようにプリンタエンジン３０にて裏面に画像が形成された記録用紙３４は、ガイド部材５８を介して排紙系の用紙ガイド４２ｄに導かれ、排紙系の搬送ローラ４０ｄ及び用紙ガイド４２ｄを介して、排紙トレイ３８まで搬送される。
【００４６】
尚、排紙トレイ３８は、プリンタエンジン３０よりも上方に位置し、しかも、排紙トレイ３８には、プリンタエンジン３０における記録用紙３４の搬送方向とは逆方向に記録用紙３４が排出されることから、排紙トレイ３８には、記録用紙３４の画像形成面が裏向きとなる所謂フェイスダウンで記録用紙３４が蓄積されることになる。
【００４７】
次に図４は、上記各部を制御するために多機能装置１に内蔵された制御装置７０の構成を表すブロック図である。
この制御装置７０は、上述した操作パネル１１の操作ボタン１１ｂを介して入力される使用者からの指令、もしくは、外部のパーソナルコンピュータ（以下、単にＰＣという）９０からの指令に従い、プリンタ部２及びスキャナ部３を制御することにより、本実施例の多機能装置１を、プリンタ、スキャナ、もしくは複写機（コピー機）として動作させるためのものであり、ＣＰＵ７２、ＲＯＭ７４、ＲＡＭ７６、及び、これら各部を接続するバスライン７８を中心とする周知のマイクロコンピュータにて構成されている。
【００４８】
また、制御装置７０には、ＣＰＵ７２からの指令に従いスキャナ部３を制御するためのスキャナ制御部８０、同じくプリンタ部２を制御するためのプリンタ制御部８２、操作パネル１１を介して入力される各種指令信号を入力したりＣＰＵ７２からの指令に従い操作パネル１１のＬＣＤ表示部１１ａに各種メッセージを表示するためのパネル制御部８４、及び、ＰＣ９０との間で各種データを送受信するためのＰＣインターフェース（以下、単にＰＣ・Ｉ／Ｆという）８８も備えられており、これら各部は、バスライン７８を介して、ＣＰＵ７２、ＲＯＭ７４、ＲＡＭ７６に接続されている。
【００４９】
そして、ＣＰＵ７２は、ＰＣ９０からプリント要求があれば、その後ＰＣ９０から送信されてくるプリントデータをＲＡＭ７６のプリントデータ記憶領域に一時的に格納しつつプリンタ制御部８２に転送することにより、プリンタ制御部８２を介してプリンタ部２を制御して記録用紙３４上にプリントデータに基づく画像を形成する。また、ＰＣ９０から画像の読取要求があれば、スキャナ制御部８０を介してスキャナ部３を制御することにより、使用者がプラテンガラス２３上に載置するか或いは原稿供給トレー１８に載置した原稿の画像を読み取り、その読み取った画像データをＰＣ９０に転送する。そのような手順で、当該多機能装置１はプリンタ或いはスキャナとして動作する。
【００５０】
また、ＣＰＵ７２は、操作パネル１１を介して使用者から当該多機能装置１の動作モードを設定する指令が入力されると、その指令に従いＬＣＤ表示部１１ａに動作モード設定のためのメッセージを表示し、そのメッセージに従い使用者が入力してくる指令に従い、当該多機能装置１の動作モードを設定する。
【００５１】
また更に、ＣＰＵ７２は、操作パネル１１を介して使用者からコピー指令が入力されると、そのとき設定されているコピーに関する動作モードに従い、スキャナ制御部８０を介してスキャナ部３を制御することにより、使用者がプラテンガラス２３上に載置するか或いは原稿供給トレー１８に載置した原稿の画像を読み取り、その読み取った画像データをプリント用のデータに変換してＲＡＭ７６のプリントデータ記憶領域に格納し、原稿の読み取りが完了すると、ＲＡＭ７６に格納したプリントデータをプリンタ制御部８２に転送することにより、プリンタ制御部８２を制御し、原稿から読み取った画像を記録用紙３４に形成（複写）させる。
【００５２】
以下、このようにＣＰＵ７２にて実行される各種制御処理の内、本発明に関わる主要な処理である原稿コピーのための制御処理について、図５及び図６に示すフローチャートを用いて説明する。
図５は、使用者からの指令に従い原稿をコピーする際の動作モードを設定する際に実行されるコピーモード選択処理を表すフローチャートである。
【００５３】
この処理は、操作パネル１１を介して使用者からコピー時の動作モードを設定する指令が入力された際に実行される処理であり、処理が開始されると、まずＳ１１０（Ｓはステップを表す）にて、原稿供給トレー１８に複数の片面原稿を載置してその原稿を連続的に読み取らせ、その読み取った各原稿の画像を記録用紙３４の両面に順に形成してゆく両面記録コピー（ＤＵＰＬＥＸ）を行うか、或いは、原稿１頁分の画像を記録用紙３４の片面にのみ形成する通常コピーを行うかを使用者に選択させるためのメッセージをＬＣＤ表示部１１ａに表示させ、その後、両面記録コピー（ＤＵＰＬＥＸ）が選択されたか否かを判定する。
【００５４】
そして、Ｓ１１０にて両面記録コピー（ＤＵＰＬＥＸ）が選択されていないと判断された場合（つまり、使用者により通常コピーが選択された場合）には、Ｓ１２０にて、両面記録コピーを表すフラグ「Ｄ＿ＭＯＤＥ」をリセット（ＯＦＦ）し、更に、Ｓ１３０にて、両面記録コピー後の記録用紙３４を記録用紙３４の搬送方向に沿った辺で綴じる（以下、ロングバインドという）ことを表すフラグ「Ｄ＿ＬＯＮＧ」と、両面記録コピー後の記録用紙３４を記録用紙３４の搬送方向とは直交する辺で綴じる（以下、ショートバインドという）ことを表すフラグ「Ｄ＿ＳＨＯＲＴ」とを、共にリセット（ＯＦＦ）し、当該処理を終了する。
【００５５】
一方、Ｓ１１０にて、両面記録コピー（ＤＵＰＬＥＸ）が選択されたと判断された場合には、Ｓ１４０に移行して、両面記録コピーを表すフラグ「Ｄ＿ＭＯＤＥ」をセット（ＯＮ）する。そして、続くＳ１５０では、両面記録コピー後の記録用紙３４の綴じ方を上述したロングバインド（ＬＯＮＧ）にするか、或いは、ショートバインド（ＳＨＯＲＴ）にするかを、使用者に選択させるためのメッセージをＬＣＤ表示部１１ａに表示させ、その後、使用者が何れの綴じ方を選択したかを判断する。
【００５６】
そして、使用者が、両面記録コピー後の記録用紙３４の綴じ方として、ロングバインド（ＬＯＮＧ）を選択した際には、Ｓ１６０にて、ロングバインドを表すフラグ「Ｄ＿ＬＯＮＧ」をセット（ＯＮ）し、ショートバインドを表すフラグ「Ｄ＿ＳＨＯＲＴ」をリセット（ＯＦＦ）し、当該処理を終了する。
【００５７】
また、使用者が、両面記録コピー後の記録用紙３４の綴じ方として、ショートバインド（ＳＨＯＲＴ）を選択した際には、Ｓ１７０にて、ショートバインドを表すフラグ「Ｄ＿ＳＨＯＲＴ」をセット（ＯＮ）し、ロングバインドを表すフラグ「Ｄ＿ＬＯＮＧ」をリセット（ＯＦＦ）し、当該処理を終了する。
【００５８】
このように、本実施例では、原稿をコピーする際の動作モードとして、両面記録コピーと通常コピーとの何れかを選択でき、しかも、両面記録コピーの際には、コピー後の記録用紙３４の綴じ方をショートバインド（ＳＨＯＲＴ）にするかロングバインド（ＬＯＮＧ）にするかを選択できるようにされている。
【００５９】
そして、その選択結果は、上述した３つのフラグ「Ｄ＿ＭＯＤＥ」、「Ｄ＿ＳＨＯＲＴ」、「Ｄ＿ＬＯＮＧ」によって記憶され、その後のコピー時には、これら各フラグの状態によって決まる動作モードに従い、原稿から読み取った画像データの処理、及び、記録用紙３４への画像の形成方法が切り換えられる。
【００６０】
尚、本実施例では、上述したコピーモード選択処理と、この処理の際に使用される操作パネル１１及びパネル制御部８４とによって、本発明のモード選択手段としての機能が実現される。また、本実施例において、両面記録コピー時の動作モードとして、ショートバインド（ＳＨＯＲＴ）が選択された場合の動作モードは、本発明の第２モードに相当し、同じくロングバインド（ＬＯＮＧ）が選択された場合の動作モードは、本発明の第１モードに相当する。
【００６１】
次に、図６は、使用者が操作パネル１１の操作ボタン１１ｂを操作することにより原稿のコピー指令が入力された際に実行されるコピー制御処理を表す。
図６に示す如く、この処理が開始されると、まずＳ２１０にて、スキャナ制御部８０を介してスキャナ部３を制御することにより、使用者がプラテンガラス２３上に載置するか或いは原稿供給トレー１８に載置した原稿の１頁分の画像を読み取る。
【００６２】
そして、続くＳ２２０では、フラグ「Ｄ＿ＭＯＤＥ」がセット（ＯＮ）されているか否かを判断することにより、原稿コピー時の動作モードとして両面記録コピー（ＤＵＰＬＥＸ）が設定されているか否かを判断し、両面記録コピー（ＤＵＰＬＥＸ）が設定されていない場合（つまり通常コピー時）には、Ｓ２３０に移行して、Ｓ２１０にて読み取った画像データ（読取データ）を圧縮し、続くＳ２４０にて、その圧縮データを、記録用紙３４の片面にのみ画像を形成するための１頁分のデータとしてＲＡＭ７６のプリントデータ記憶領域に格納し、Ｓ３２０に移行する。
【００６３】
一方、Ｓ２２０にて、フラグ「Ｄ＿ＭＯＤＥ」がセット（ＯＮ）されていると判断された場合（つまり、両面記録コピー（ＤＵＰＬＥＸ）が設定されている場合）には、Ｓ２５０に移行して、Ｓ２１０にて今回読み取った原稿の画像は、原稿供給トレー１８に載置された複数の原稿の内の奇数頁目となる画像であるか否かを判断する。
【００６４】
ここで、本実施例のプリンタ部２の構成においては、奇数頁の原稿を読み取った画像データが、請求項中における、データ配列が記録媒体の搬送方向に対して順方向となる頁の画像データであり、偶数頁の原稿を読み取った画像データが、請求項中における、データ配列が記録媒体の搬送方向に対して逆方向となる頁の画像となるが、プリンタ部２の構成によっては、逆となることもあり得る。つまり、読み取った画像データのデータ配列における先頭データをプリンタ部２で最初に記録し始める場合（順方向）は、画像データを圧縮し、先頭データを最後に記録する場合は、画像データを非圧縮とするのである。
【００６５】
そして、Ｓ２５０にて、今回読み取った原稿の画像が奇数頁目であると判断された場合には、Ｓ２６０に移行して、Ｓ２１０で読み取った原稿の画像データ（読取データ）を圧縮し、ＲＡＭ７６のプリントデータ記憶領域に格納することなく、別の領域に保存し、そのままＳ３２０に移行する。
【００６６】
尚、このＳ２６０の処理は、本発明の画像データ圧縮手段に相当する。そして、本実施例においては、スキャナ部３から得られる画像データが、ライン型のＣＣＤユニット２４によって１スキャンライン毎に順次得られるビットマップデータであることから、Ｓ２６０及びＳ２３０における画像データの圧縮は、例えば、画像データを１スキャンライン毎にランレングス圧縮し、さらに前ラインのデータとの関連をもとに圧縮することにより行われる。
【００６７】
また次に、Ｓ２５０にて、今回読み取った原稿の画像は奇数頁目ではない（つまり偶数頁目である）と判断された場合には、Ｓ２７０に移行し、フラグ「Ｄ＿ＬＯＮＧ」がセット（ＯＮ）されているか否かを判断する。
つまり、両面記録コピー時には、動作モードとして、両面記録コピー後の記録用紙３４の綴じ方をロングバインド（ＬＯＮＧ）にするかショートバインド（ＳＨＯＲＴ）にするかが設定され、その設定状態に応じて、フラグ「Ｄ＿ＬＯＮＧ」及び「Ｄ＿ＳＨＯＲＴ」の何れかがセット（ＯＮ）されることから、Ｓ２７０では、両面記録コピー時の動作モードとしてロングバインド（ＬＯＮＧ）とショートバインド（ＳＨＯＲＴ）との何れが設定されているのかを判断するのである。
【００６８】
そして、Ｓ２７０にて、フラグ「Ｄ＿ＬＯＮＧ」がセット（ＯＮ）されており、ロングバインド（ＬＯＮＧ）が設定されていると判断された判断された場合には、Ｓ２８０に移行して、Ｓ２１０で読み取った原稿の画像データ（読取データ）を非圧縮のままプリントデータとして設定して、Ｓ３００に移行する。これは、本実施例のプリンタ部２においては、表面に画像を形成する時と裏面に画像を形成する時とで、記録用紙３４に対しての記録方向が逆になるので、図７に示すようにロングバインドを指定した場合には、２頁目、４頁目（つまり偶数頁目）は頁の後端から記録する必要があるからである。
【００６９】
また、Ｓ２７０にて、フラグ「Ｄ＿ＬＯＮＧ」がセット（ＯＮ）されていないと判断された場合、つまり、フラグ「Ｄ＿ＳＨＯＲＴ」がセット（ＯＮ）され、ショートバインド（ＳＨＯＲＴ）が設定されている場合には、Ｓ２９０に移行して、上記Ｓ２６０と同様に、Ｓ２１０で読み取った原稿の画像データ（読取データ）を圧縮し、Ｓ３００に移行する。これは、ショートバインドを指定した場合、もともと表面と裏面とで記録方向が異なるように記録する必要があるため、本実施例のプリンタ部２においては、図７に示すように、全ての頁について頁の先頭から記録することができるからである。尚、このＳ２９０の処理は、上記Ｓ２６０と同様、本発明の画像データ圧縮手段に相当する。
【００７０】
そして、Ｓ２８０又はＳ２９０の処理を実行した時点では、ＲＡＭ７６のプリントデータ記憶領域に格納していないプリントデータとして、Ｓ２６０で生成された奇数頁目の圧縮データと、Ｓ２８０又はＳ２９０にて非圧縮のプリントデータ又は圧縮データとして設定又は生成された偶数頁目の圧縮データとが存在することから、続くＳ３００では、まず、このうちの偶数頁目のデータをＲＡＭ７６のプリントデータ記憶領域に格納し、その後、Ｓ３１０にて、Ｓ２６０で生成され、別の領域に保存されていた圧縮データを、ＲＡＭ７６のプリントデータ記憶領域に格納し、Ｓ３２０に移行する。
【００７１】
尚、Ｓ３００及びＳ３１０の処理は、本発明の画像データ格納手段に相当し、本実施例では、ＲＡＭ７６のプリントデータ記憶領域が、本発明の記憶手段に相当する。
そして、本実施例では、Ｓ３００及びＳ３１０の処理にて、偶数頁目のデータを奇数頁目の圧縮データよりも先にＲＡＭ７６（詳しくはプリントデータ記憶領域）に格納するが、これは、プリンタ部２を動作させて記録用紙３４の両面に画像を形成する際に、記録用紙３４の片面（表面）に偶数頁の画像を形成してから、記録用紙３４の裏面に奇数頁の画像を形成させるためである。
【００７２】
つまり、本実施例のプリンタ部２では、排紙トレイ３８に、記録用紙３４の画像形成面が裏向きとなるフェイスダウンで画像形成後の記録用紙３４が蓄積されることから、両面記録コピー時に奇数頁目の画像を偶数頁目の画像よりも後で形成することによって、排紙トレイ３８に蓄積された記録用紙３４の最も前面に１頁目の画像が現れ、ロングバインド及びショートバインドの何れの場合でも、その蓄積された複数枚の記録用紙３４を積層状態のまま綴じることができるようにしているのである。
【００７３】
次に、Ｓ３２０では、読み取るべき次頁の原稿が存在するか否かを判断する。即ち、今回Ｓ２１０にて画像を読み取った原稿はスキャナ部３の原稿供給トレー１８に載置された複数の原稿のうちの１頁であり、原稿供給トレー１８には、未だ画像を読み取っていない原稿が載置されているか否かを判断するのである。尚、この判断は、スキャナ制御部８０を介してスキャナ部３から情報を取得することにより行うようにしてもよいし、ＡＤＦ機構１６に図示しない原稿センサを設け、その検出に基づいて判断するようにしてもよい。
【００７４】
そして、Ｓ３２０にて、読み取るべき次頁の原稿が存在すると判断された場合には、Ｓ２１０に移行して、上述した一連の処理を実行し、逆に、Ｓ３２０にて、読み取るべき次頁の原稿は存在しないと判断された場合には、Ｓ３３０に移行して、上記一連の処理で原稿から読み取り、ＲＡＭ７６のプリントデータ記憶領域に格納されていないデータ（具体的にはＳ２６０にて生成された奇数頁の圧縮データ）があるか否かを判断する。
【００７５】
Ｓ３３０にて未格納のデータがあると判断された場合には、Ｓ３４０にて、最終頁については空白のデータを偶数頁のデータとして格納した後、未格納データを奇数頁のデータとしてＲＡＭ７６のプリントデータ記憶領域に格納し、Ｓ３５０に移行する。また、Ｓ３３０にて未格納のデータはないと判断された場合には、そのままＳ３５０に移行する。
【００７６】
そして、Ｓ３５０では、上述の処理でＲＡＭ７６のプリントデータ記憶領域に格納したプリントデータを、そのデータの格納順に１頁単位で読み出し、読み出したプリントデータが圧縮データであれば、順次伸張してプリンタ制御部８２に転送し、読み出したプリントデータが非圧縮データであれば、そのデータの前後を反転してプリンタ制御部８２に転送することで、プリンタ制御部８２に対して、プリンタ部２を現在の動作モードで制御させる。
【００７７】
以上説明したように、本実施例の多機能装置１においては、原稿画像を記録用紙３４の両面にコピーする際、使用者が、両面記録コピー後の記録用紙３４の綴じ方をショートバインド（ＳＨＯＲＴ）にするかロングバインド（ＬＯＮＧ）にするかを選択できるようにされている。
【００７８】
そして、図７に示すように、両面記録コピー時に、ロングバインドが設定されている場合（図７に示すロングバインドコピー時）には、スキャナ部３を介して読み取った原稿の画像の内、奇数頁目の画像データは圧縮データ、偶数頁目の画像は非圧縮データ、として、ＲＡＭ７６のプリントデータ記憶領域に格納する。また、これらのデータの格納時には、対となる奇数頁目の圧縮データと偶数頁目の非圧縮データとの順番を入れ換えて、ＲＡＭ７６のプリントデータ記憶領域に格納し、更に、画像形成時（プリント時）には、プリントデータを１頁単位でＲＡＭ７６から読み出し、非圧縮データについては、図７に矢印で示すように、前後の順番を反転させてプリンタ部２に転送することにより、プリンタ部２に、その頁の後ろ側から記録用紙３４に画像を形成させ、圧縮データについては、伸張してＲＡＭ７６からの読み出し順にプリンタ部２に転送することにより、プリンタ部２に、その頁の先頭から記録用紙３４に画像を形成させる。
【００７９】
従って、ロングバインドによるコピー後は、図７に示すコピー結果のように、排紙トレイ３８に積層された複数の記録用紙３４をそのままロングバインド方式で綴じれば、頁をめくった際に画像が逆さまになるようなことはなく、上述した逆転現象を防止できる。
【００８０】
一方、図７に示すように、両面記録コピー時に、ショートバインドが設定されている場合（図７に示すショートバインドコピー時）には、スキャナ部３を介して読み取った原稿の画像データを全て圧縮データとして、ＲＡＭ７６のプリントデータ記憶領域に格納する。また、これらのデータの格納時には、対となる奇数頁目の圧縮データと偶数頁目の非圧縮データとの順番を入れ換えて、ＲＡＭ７６のプリントデータ記憶領域に格納し、画像形成時（プリント時）には、図７に矢印で示すように、ＲＡＭ７６に格納された全ての頁の圧縮データを、各頁毎に伸張して、ＲＡＭ７６からの読み出し順にプリンタ部２に転送することにより、プリンタ部２に、その頁の先頭から記録用紙３４に画像を形成させる。
【００８１】
従って、ショートバインドによるコピー後は、図７に示すコピー結果のように、排紙トレイ３８に積層された複数の記録用紙３４をそのままショートバインド方式で綴じれば、頁をめくった際に画像が逆さまになるようなことはなく、ロングバインドコピーと同様に、上述した逆転現象を防止できる。
【００８２】
また、本実施例の多機能装置１においては、コピー時、スキャナ部３を介して読み取った画像データのデータ配列が記録用紙３４への画像形成方向（換言すれば記録用紙３４の搬送方向）と逆方向になる画像データについては、非圧縮データとしてＲＡＭ７６のプリントデータ記憶領域に格納するが、それ以外の画像データについては、全て圧縮データとしてＲＡＭ７６のプリントデータ記憶領域に格納する。
【００８３】
従って、本実施例の多機能装置１によれば、単に両面記録コピーした記録用紙３４を綴じた際に生じる逆転現象を防止できるだけでなく、画像データの圧縮によってＲＡＭ７６のプリントデータ記憶領域を節約しつつ、データ配列が記録用紙３４の搬送方向と逆方向となる画像データを圧縮した場合に生じる問題を防止できる。つまり、上述したように、データ配列が記録用紙３４の搬送方向と逆方向となる画像データを圧縮すると、記録用紙３４に画像を形成する際に、圧縮データを伸張して反転させる必要があるが、本実施例では、この画像データについては、非圧縮データとしてＲＡＭ７６に格納するようにしているので、画像形成に要する時間を短縮できるようになる。
【００８４】
以上、本発明の一実施形態について説明したが、本発明は、上記実施例に限定されるものではなく、種々の態様を採ることができる。
例えば、上記実施例では、コピー機能を有する多機能装置１において、両面記録コピーを行う際の画像データの処理に本発明を適用した場合について説明したが、例えば、外部のＰＣ９０（もしくは他の情報機器）から送信されてきたプリントデータに従い記録用紙３４の両面に画像を形成するような場合にも、図６に示したコピー制御処理と同様の手順で、そのプリントデータをＲＡＭ７６のプリントデータ記憶領域に格納するようにすれば、上記実施例と同様の効果を得ることができる。
【００８５】
また、上記実施例では、原稿供給トレー１８に載置された複数の原稿をコピーする際、全ての原稿の画像を読み取った後に、プリンタ部２による画像形成を開始するようにしたが、例えば、両面記録コピーが指定された際には、原稿の画像を２頁分読み取った時点で、画像形成を開始するようにしてもよい。
【００８６】
また、上記実施例では、多機能装置１に組み込まれたプリンタエンジン３０がレーザプリンタ用のものであるとして説明したが、プリンタエンジンとしてインクジェット式のカラープリンタ用のものが搭載された多機能装置であっても、或いは、カラーレーザプリンタ用のものが搭載された多機能装置であっても、本発明を適用して上記実施例と同様の効果が得られるのはいうまでもない。
【００８７】
また更に、上記実施例では、本発明を多機能装置１に適用した場合について説明したが、本発明は、両面印刷機能を有するプリンタに適用しても、上記実施例と同様の効果を得ることができる。
また、上記実施例では、画像データの圧縮データも非圧縮データもＲＡＭ７６のプリントデータ記憶領域に格納したが、それぞれのデータを異なるメモリに格納するように構成してもよい。
【００８８】
更に、プリンタ制御部８２に、圧縮データを展開できるハードウェアを設け、処理速度を向上させてもよい。この場合は、記録させる際に圧縮データのままハードウェアに入力すればよいので、データ処理の時間が短縮できるうえ、ＣＰＵの負荷を軽減することもできる。
【図面の簡単な説明】
【図１】実施例の多機能装置の外観を表す斜視図である。
【図２】実施例の多機能装置のスキャナ部の構成を表す斜視図である。
【図３】実施例の多機能装置のプリンタ部の構成を表す断面図である。
【図４】実施例の多機能装置に内蔵された制御装置の構成を表すブロック図である。
【図５】図４に示した制御装置にて実行されるコピーモード選択処理を表すフローチャートである。
【図６】同じく制御装置にて実行されるコピー制御処理を表すフローチャートである。
【図７】図６のコピー制御処理にて実現されるロングバインドコピー時とショートバインドコピー時の動作を説明する説明図である。
【符号の説明】
１…多機能装置、２…プリンタ部、３…スキャナ部、１１…操作パネル、１１ａ…ＬＣＤ表示部、１１ｂ…操作ボタン、１５…原稿台カバー、１６…ＡＤＦ機構、１７…原稿排出トレー、１８…原稿供給トレー、２２…原稿台、２３…プラテンガラス、２４…ＣＣＤユニット、２５…ガイド軸、２６…ベルト、２８…原稿通過部、３０…プリンタエンジン、３２…給紙カセット、３２ａ…分離パッド、３４…記録用紙、３６…給紙ローラ、３８…排紙トレイ、４０，４０ａ〜４０ｇ…搬送ローラ、４２，４２ａ〜４０ｇ…用紙ガイド、４４…感光ドラム、４６…トナーカートリッジ、４８…レーザ発光器、５０…転写ローラ、５２…加熱ローラ、５４…押圧ローラ、５６…定着器、５８…ガイド部材、７０…制御装置、７２…ＣＰＵ、７４…ＲＯＭ、７６…ＲＡＭ、７８…バスライン、８０…スキャナ制御部、８２…プリンタ制御部、８４…パネル制御部、８８…ＰＣ・Ｉ／Ｆ（ＰＣインターフェース）、９０…ＰＣ（パーソナルコンピュータ）。
【図１】
2004209924.tif 000003
【図２】
2004209924.tif 000004
【図３】
2004209924.tif 000005
【図４】
2004209924.tif 000006
【図５】
2004209924.tif 000007
【図６】
2004209924.tif 000008
【図７】
2004209924.tif 000009